(57)【要約】【課題】　本発明は、通信システムに関するもので、特に、少なくとも二つの通信モードにおいて端末機を作動させるための装置及び方法を提供する。【解決手段】　通信端末機は、有線ホンモード、インターネットホンモード、前記モードが結合されたモードを含む多重モードで作動する。前記端末機は有線ホン部及びＰＳＴＮとインターネットに送信または受信される通話を分離して処理するＩＰホン部を含めてなる。また、前記端末機は、第３モード、即ち外部連結モードの作動において有線ホン部とＩＰホン部を連結する音声経路を介して通話を処理するプロセッサを含めてなる。前記経路に沿って通話を処理することによって実際に長距離及び国際電話費用を低減でき、伝送効率の向上も可能となる。【選択図】図１
2004064790.tif 000002
【特許請求の範囲】
【請求項１】
　有線ホン部と、
　インターネットホン部と、
　ホンの作動モードを決定し、前記ホンの作動モードに基づいた通話について少なくとも一つの前記有線ホンと前記インターネットホンを連結する信号経路を設定するためのプロセッサ部とを含めてなるホン。
【請求項２】
　前記ホン部は、
　前記プロセッサ部の制御によってインターネットホン部と有線ホン部との間を自動でスイッチングする第１スイッチング部と、
　前記プロセッサ部の制御によって有線ホン部とインターネットホン部と間で音声信号をスイッチングする第２スイッチング部と
を含めてなる請求項１に記載のホン。
【請求項３】
　前記第１スイッチング部は、
　有線モードで前記有線ホンに連結される第１スイッチと、
　インターネットモードで前記第１スイッチの解除のための第１リレーと、
　外部連結モードにおいて自動で前記有線ホンと前記インターネットホンとを連結する第２リレーとを含めてなる請求項２に記載のホン。
【請求項４】
　前記第２スイッチング部は、
　有線モードで前記有線ホン部をハンドセット或いはスピーカー／マイクに連結するための第２スイッチと、
　インターネットモードにおいて前記インターネットホン部を、第１チャンネルを介してハンドセット或いはスピーカー／マイクに連結するための第３スイッチと、
　外部連結モードにおいて第２チャンネルを介して前記有線ホン部と前記インターネットホン部とを連結するための第４スイッチを含めてなり、
　前記第１チャンネル及び前記第２チャンネルは音声信号を前記インターネットホン部に伝えるための経路である請求項３に記載のホン。
【請求項５】
　前記第３スイッチ及び第４スイッチは、
インターネットモード及び外部連結モードが選択された時、同時に連結される請求項４に記載のホン。
【請求項６】
　前記インターネットホンは、
　第１チャンネルを介して少なくとも一つの有線ホン部から入力される音声信号及び第２チャンネルを介して外部装置から入力される音声信号をデジタル信号に変換する変換器と、
　外部連結モードにおいて前記プロセッサ部の制御によってダイアルトンを発生し、外部の連結要請者に前記ダイアルトンを提供し、ダイアル信号及び前記外部の連結要請者からのデジタル信号を前記プロセッサ部に提供するデジタル信号プロセッサを含めてなる請求項１に記載のホン。
【請求項７】
　前記インターネットホンは、
　ＩＰアドレスを有する複数のＬＡＮ（Ｌｏｃａｌ　Ａｒｅａ　Ｎｅｔｗｏｒｋ）装置を更に含み、前記複数のＬＡＮ装置中の一つはコンピュータに連結され、他のＬＡＮ装置はインターネットに連結され、前記プロセッサ部は前記ＩＰアドレスのユーザーについて連結を設定する請求項６に記載のホン。
【請求項８】
　前記プロセッサ部は、前記インターネットホンの内部に備えられる請求項１に記載のホン。
【請求項９】
　有線ホン部及びインターネットホン部を備えたホンにおける通話処理方法において、ホンの作動モードを選択する信号を受信する段階及び、ユーザーが通話を要請するユーザーについて外部連結要請をした場合、前記選択されたモードにおいてインターネットホン部と有線ホン部との間に自動で音声経路を設定する段階と
を含めてなる通話処理方法。
【請求項１０】
　ユーザーから前記通話が要請されるユーザーに関連された情報及びパスワードを受信する段階と、
　前記パスワードを検査して前記ユーザーが、権限があるかどうかを確認する段階と、
　前記通話が要請されるユーザーのＩＰアドレスを確認する段階と、
　外部の通話をＩＰアドレスに送信することで前記ユーザーを前記通話が要請されるユーザーと連結させる段階と、
を含めてなる請求項９に記載の通話処理方法。
【請求項１１】
　前記インターネットホン部と前記有線ホン部とが連結された後に前記通話が要請されるユーザーにダイアルトンを提供する段階及び、
前記ダイアルトンを提供した後に前記パスワード及び前記通話が要請されるユーザーの情報を入力される段階と、
を含めてなる請求項１０に記載の通話処理方法。
【請求項１２】
　インターネットモード及び外部連結モードが設定されている場合、
前記ユーザー及び前記ホンの外部装置から入力される音声信号を同時にコーディングする段階と、
前記コーディングされた信号を前記通話が要請されるユーザーについて予め決められたデータフォーマットに変換する段階及び、
前記通話が要請されるユーザー及び前記ユーザーとの間にデータ伝送率を整合するためにデータフォーマットを選択的に貯蔵する段階と、
を含めてなる請求項９に記載の通話処理方法。
【請求項１３】
　第１ホン部と、
　第２ホン部と、
　前記第１ホン部を前記第２ホン部に連結する音声経路を介して通話を処理するプロセッサ部を含めてなるホン。
【請求項１４】
　前記第１ホン部は公衆電話網に連結され、
　第２ホン部はインターネットに連結される請求項１３に記載のホン。
【請求項１５】
　前記プロセッサ部は、
前記第１ホンから受信された音声信号をデジタル信号に変換して前記第２ホン部に入力する請求項１３に記載のホン。
【請求項１６】
　前記プロセッサ部は第２ホン部に備えられる請求項１３に記載のホン。
【請求項１７】
　前記第２ホン部は前記通話と他の通話とを同時に処理する請求項１３に記載のホン。
【請求項１８】
　前記通話は前記第１ホン部で受信し、音声経路によって前記第２ホン部へ伝送される請求項１３に記載のホン。
【請求項１９】
　前記通話は前記第２ホン部で受信し、音声経路によって前記第１ホン部へ伝送される請求項１３に記載のホン。
【請求項２０】
　第１通信モードで動作する第１ホン部と、
　第２通信モードで動作する第２ホン部及び、
　ユーザーモードの選択信号によって前記第１ホン部及び前記第２ホン部との間に音声経路を制御する制御部を含めてなるホン。
【請求項２１】
　前記第１通話モードはＰＳＴＮモードであり、前記第２通話モードはＩＰモードである請求項２０に記載のホン。
【請求項２２】
　前記制御部は、他のユーザーのモード選択の時、信号によって前記第１ホン部或いは前記第２ホン部のうち，いずれか一つを作動するか、前記第１ホン部或いは前記第２ホン部のうち、いずれか一つを作動しない請求項２０に記載のホン。
【請求項２３】
　有線ネットワークに連結された第１ホン部が通話を受信する段階と、
　前記第１ホン部を第２ホン部に連結する信号経路を介して通話を伝送する段階を含み、
　前記第２ホン部はインターネットに連結される通話処理方法。
【請求項２４】
　プロセッサを備えたシステムに、
　同一なホンに備えられた第１ホン部と、第２ホン部のうち、何れか一つが通話を感知する第１機能と、
　前記第１ホン部及び前記第２ホン部を連結する音声経路を設定する第２機能と、前記設定された経路を介して通話を伝送する第３機能と、
を実現するためのコンピュータで読み取れるプログラムを記録した記録媒体。
【請求項２５】
　前記第１ホン部はＰＳＴＮネットワークに連結され、前記第２ホン部はインターネットに連結される請求項２４に記載のコンピュータで読み取れるプログラムを記録した記録媒体。
【請求項２６】
　音声データをデジタル通話データに変換する第１プロセッサ部、
　通話が有線ホン部によって受信される場合前記有線ホン部とＩＰホン部との間に音声信号経路を設定する第２プロセッサを備え、
　前記第１プロセッサは前記音声信号経路に沿って備えられる通話処理システム。
【発明の詳細な説明】
【技術分野】
【０００１】
　本発明は通信システムに関するもので、特に、少なくとも二つの通信モードにおいて端末機を作動させるための装置及び方法に関するものである。
【背景技術】
【０００２】
　遠隔地にある相手との通話のために多くの方法が用いられている。こうした方法としては、公衆電話交換網（ＰＳＴＮ：Ｐｕｂｌｉｃ　Ｓｗｉｔｃｈｅｄ　Ｔｅｌｅｐｈｏｎｅ　Ｎｅｔｗｏｒｋ）に連結された有線電話を用いる方法と、インターネットのようなネットワークに連結されたインターネットホン（ＶｏＩＰ：Ｖｏｉｃｅ　Ｏｖｅｒ　ＩＰ）を用いる方法がある。最近、インターネットユーザーが急増しており、インターネットを介したデータ伝送率が増加することによってインターネットホン、インターネットファックス、インターネット放送のようにインターネットを応用する方法に対する関心が高まっている。
【０００３】
　特に、市外電話や国際電話を利用する場合、前記インターネットホンは従来のＰＳＴＮ網を介した電話使用量に比べて非常に安価な費用で電話を用いることができるという長所がある。その結果、多くの企業がインターネットホンビジネスを発展させるのに多くの関心を持っている。これらの代表企業としては、ＰＣ通信事業者、インターネットサービス提供者、電話事業者などである。
【０００４】
　しかしながら、従来のインターネットホンのサービスはいくつかの短所があった。即ち、モデムが設けられているコンピュータを介してのみインターネット網を用いた電話通話が可能である。即ち、モデムが備えられたコンピュータ対コンピュータ、コンピュータに連結された電話機対コンピュータ、コンピュータに連結された電話機対コンピュータに連結された電話機間の通信のみが可能である。従って、必ずコンピュータが設けられている場所へ移動してインターネットホンを用いなければならないので場所の制約があった。
【０００５】
　このような場所の制約を克服し、いつどこでも、認証された加入者が安価で自由にアクセスできるようにするために、次世代インターネットホンはデータの高伝送率を支援しなければならない。また、かかるインターネットホンは同時にＰＳＴＮネットワークとインターネットとにアクセス可能すべきであり、このためには、現在使用しているネットワークシステムの性能が向上しなければならない。しかしながら、従来の技術は同時にかかるネットワークにアクセスする技術に対して提示することはなかった。従って、かかる同時アクセス機能を実現できるシステム、方法、そして端末機が必要になった。
【発明の開示】
【発明が解決しようとする課題】
【０００６】
　本発明は、上記関連技術の問題点を解決するためのもので、その目的はデュアルＩＰホン及び前記デュアルＩＰホンを用いる方法を提供することが目的である。
【０００７】
　なお、本発明は、２つ以上の通信モードにおいて作動できるＩＰホンを提供することに目的がある。
【０００８】
　また、本インターネット及び公衆電話交換網のような広域ネットワークに同時に接近できるＩＰホンを提供することが目的である。
【０００９】
　前記ＩＰホンはＰＳＴＮとインターネットとを連結する音声伝達経路に沿って一つの通話を処理する。
【００１０】
　本発明の他の目的は、第１通話がＰＳＴＮ及びインターネットに連結された音声経路を介して処理される間、第２通話を少なくとも一つのＰＳＴＮ及びインターネットを介して処理できるＩＰホンを提供することが目的である。
【００１１】
　また、本発明は２つ以上の通信モードにおいて作動できるデュアルモードＩＰホンを提供することが目的である。前記　デュアルモードＩＰホンは通話途中でも外部から要請される他のＩＰホンのユーザーとの通話が可能である。
【課題を解決するための手段】
【００１２】
　前記のような目的を達成するための本発明の装置は、有線ホンと、有線モード、インターネットモード、外部連結モードのうち、どのモードに該当するかを識別し、前記識別された結果によって有線ホンとインターネットホンの連結及び解除を制御し、デュアルＩＰホンの音声信号経路を開閉することを制御するマイクロホンを含むインターネットホンからなる。
【００１３】
　また、本発明は二つのモードにおいて作動するホンを用いて通話サービスを提供するための方法を提供することにその目的がある。即ち、前記ホンは第１モードではＩＰホンで作動し、第２モードでは有線ホンで作動する。本発明の方法は有線モード、インターネットモード、外部連結モードのうち何れか一つを選択する段階と、他のユーザーが呼び出されたユーザーとの連結を要請する場合、連結モードにおいてインターネットホンと有線ホンを自動に連結する段階と、前記呼び出されたユーザーと関連された情報及びユーザーからパスワードを受信する段階と、前記暗号を検査してユーザー認証を検査する段階と、前記情報を分析して前記呼び出されたユーザーのＩＰアドレスを確認する段階、及びＩＰアドレスに対する外部の呼び出しを伝送することによって連結されたユーザーと呼び出されたユーザーを連結する段階を更に含めてなる。
【００１４】
　本発明によるホンは、有線ホン部と、インターネットホン部と、ホンの作動モードを決定し、前記ホンの作動モードに基づいた通話について少なくとも一つの前記有線ホンと前記インターネットホンを連結する信号経路を設定するためのプロセッサ部とを含めてなり、それにより上記目的を達成する。
【００１５】
　前記ホン部は、前記プロセッサ部の制御によってインターネットホン部と有線ホン部との間を自動でスイッチングする第１スイッチング部と、前記プロセッサ部の制御によって有線ホン部とインターネットホン部と間で音声信号をスイッチングする第２スイッチング部とを含めてなってもよい。
【００１６】
　前記第１スイッチング部は、有線モードで前記有線ホンに連結される第１スイッチと、インターネットモードで前記第１スイッチの解除のための第１リレーと、外部連結モードにおいて自動で前記有線ホンと前記インターネットホンとを連結する第２リレーとを含めてなってもよい。
【００１７】
　前記第２スイッチング部は、有線モードで前記有線ホン部をハンドセット或いはスピーカー／マイクに連結するための第２スイッチと、インターネットモードにおいて前記インターネットホン部を、第１チャンネルを介してハンドセット或いはスピーカー／マイクに連結するための第３スイッチと、外部連結モードにおいて第２チャンネルを介して前記有線ホン部と前記インターネットホン部とを連結するための第４スイッチを含めてなり、前記第１チャンネル及び前記第２チャンネルは音声信号を前記インターネットホン部に伝えるための経路であってもよい。
【００１８】
　前記第３スイッチ及び第４スイッチは、インターネットモード及び外部連結モードが選択された時、同時に連結されてもよい。
【００１９】
　前記インターネットホンは、第１チャンネルを介して少なくとも一つの有線ホン部から入力される音声信号及び第２チャンネルを介して外部装置から入力される音声信号をデジタル信号に変換する変換器と、外部連結モードにおいて前記プロセッサ部の制御によってダイアルトンを発生し、外部の連結要請者に前記ダイアルトンを提供し、ダイアル信号及び前記外部の連結要請者からのデジタル信号を前記プロセッサ部に提供するデジタル信号プロセッサを含めてなってもよい。
【００２０】
　前記インターネットホンは、ＩＰアドレスを有する複数のＬＡＮ（Ｌｏｃａｌ　Ａｒｅａ　Ｎｅｔｗｏｒｋ）装置を更に含み、前記複数のＬＡＮ装置中の一つはコンピュータに連結され、他のＬＡＮ装置はインターネットに連結され、前記プロセッサ部は前記ＩＰアドレスのユーザーについて連結を設定してもよい。
【００２１】
　前記プロセッサ部は、前記インターネットホンの内部に備えられてもよい。
【００２２】
　本発明による通話処理方法は、有線ホン部及びインターネットホン部を備えたホンにおける通話処理方法において、ホンの作動モードを選択する信号を受信する段階及び、ユーザーが通話を要請するユーザーについて外部連結要請をした場合、前記選択されたモードにおいてインターネットホン部と有線ホン部との間に自動で音声経路を設定する段階とを含めてなり、それにより上記目的を達成する。
【００２３】
　ユーザーから前記通話が要請されるユーザーに関連された情報及びパスワードを受信する段階と、前記パスワードを検査して前記ユーザーが、権限があるかどうかを確認する段階と、前記通話が要請されるユーザーのＩＰアドレスを確認する段階と、外部の通話をＩＰアドレスに送信することで前記ユーザーを前記通話が要請されるユーザーと連結させる段階と、を含めてなってもよい。
【００２４】
　前記インターネットホン部と前記有線ホン部とが連結された後に前記通話が要請されるユーザーにダイアルトンを提供する段階及び、前記ダイアルトンを提供した後に前記パスワード及び前記通話が要請されるユーザーの情報を入力される段階と、を含めてなってもよい。
【００２５】
　インターネットモード及び外部連結モードが設定されている場合、前記ユーザー及び前記ホンの外部装置から入力される音声信号を同時にコーディングする段階と、前記コーディングされた信号を前記通話が要請されるユーザーについて予め決められたデータフォーマットに変換する段階及び、前記通話が要請されるユーザー及び前記ユーザーとの間にデータ伝送率を整合するためにデータフォーマットを選択的に貯蔵する段階と、を含めてなってもよい。
【００２６】
　本発明によるホンは、第１ホン部と、第２ホン部と、前記第１ホン部を前記第２ホン部に連結する音声経路を介して通話を処理するプロセッサ部を含めてなり、それにより上記目的を達成する。
【００２７】
　前記第１ホン部は公衆電話網に連結され、第２ホン部はインターネットに連結されてもよい。
【００２８】
　前記プロセッサ部は、前記第１ホンから受信された音声信号をデジタル信号に変換して前記第２ホン部に入力してもよい。
【００２９】
　前記プロセッサ部は第２ホン部に備えられてもよい。
【００３０】
　前記第２ホン部は前記通話と他の通話とを同時に処理してもよい。
【００３１】
　前記通話は前記第１ホン部で受信し、音声経路によって前記第２ホン部へ伝送されてもよい。
【００３２】
　前記通話は前記第２ホン部で受信し、音声経路によって前記第１ホン部へ伝送されてもよい。
【００３３】
　本発明によるホンは、第１通信モードで動作する第１ホン部と、第２通信モードで動作する第２ホン部及び、ユーザーモードの選択信号によって前記第１ホン部及び前記第２ホン部との間に音声経路を制御する制御部を含めてなり、それにより上記目的を達成する。
【００３４】
　前記第１通話モードはＰＳＴＮモードであり、前記第２通話モードはＩＰモードであってもよい。
【００３５】
　前記制御部は、他のユーザーのモード選択の時、信号によって前記第１ホン部或いは前記第２ホン部のうち，いずれか一つを作動するか、前記第１ホン部或いは前記第２ホン部のうち、いずれか一つを作動しなくてもよい。
【００３６】
　本発明による通話処理方法は、有線ネットワークに連結された第１ホン部が通話を受信する段階と、前記第１ホン部を第２ホン部に連結する信号経路を介して通話を伝送する段階を含み、前記第２ホン部はインターネットに連結され、それにより上記目的を達成する。
【００３７】
　本発明によるコンピュータで読み取れるプログラムを記録した記録媒体は、プロセッサを備えたシステムに、同一なホンに備えられた第１ホン部と、第２ホン部のうち、何れか一つが通話を感知する第１機能と、前記第１ホン部及び前記第２ホン部を連結する音声経路を設定する第２機能と、前記設定された経路を介して通話を伝送する第３機能と、を実現し、それにより上記目的を達成する。
【００３８】
　前記第１ホン部はＰＳＴＮネットワークに連結され、前記第２ホン部はインターネットに連結されてもよい。
【００３９】
　本発明による通話処理システムは、音声データをデジタル通話データに変換する第１プロセッサ部、通話が有線ホン部によって受信される場合前記有線ホン部とＩＰホン部との間に音声信号経路を設定する第２プロセッサを備え、前記第１プロセッサは前記音声信号経路に沿って備えられ、それにより上記目的を達成する。
【発明の効果】
【００４０】
　本発明によるデュアルホンは、ＰＳＴＮ及びインターネットに連結できる。また、前記デュアルホンは外部連結モードで作動したり外部連結を要請するユーザーの要求によって外部連結が要請される者に連結し得る。
【発明を実施するための最良の形態】
【００４１】
　以下、本発明の望ましい実施形態を添付の図面に基づいて詳細に説明する。
【００４２】
　図１は本発明の第１実施例によるホンを示したダイアグラムである。
【００４３】
　図１を参照すると、デュアルＩＰホンはＰＳＴＮホン１０と，ＩＰホン３０と、前記ＰＳＴＮホン１０及び前記ＩＰホン３０をデュアルモードで動作可能にする連結部２０を含めてなる。また、前記ホンはハンドセット及び／またはスピーカー／マイクからなる。前記ハンドセット及び／またはスピーカー／マイクロホンは前記ＰＳＴＮホン１０及び前記ＩＰホン３０に連結される。
【００４４】
　前記ＰＳＴＮホンは前記ＰＳＴＮホンを物理的にＰＳＴＮに連結するための第１コネクター１００と、前記第１コネクター１００から入力されるリング信号をリング警報回路１３０に伝えるリング信号伝達機１１０、供給電源の極性と無関係に動作するようにするためのブリッジ回路１２０を含む。前記リング警報回路１３０は信号伝達機１１０から伝達されたリング信号によってベルを鳴らす。また，ＰＳＴＮホンはボタンによる信号入力をキー接続回路２２０を経て公衆電話交換網へ伝送するためのダイアルトンを発生するために必要なダイアル回路１４０及び音声信号を送／受話器及びスピーカーホンインタフェース回路１６０に提供するために２線接続と４線接続をスイッチングする音声信号接続回路１５０を含めてなる。
【００４５】
　前記音声信号は音声信号接続回路２３０に提供される。ＰＳＴＮホンは使用電圧を供給しなくても作動でき、前記第１コネクター１００はＲＪ１１を用いることができる。
【００４６】
　前記連結部２０は、外部制御信号によって前記デュアルホンをＰＳＴＮモード、ＩＰホンモード、外部連結モードで動作させるために、前記ＰＳＴＮホン１０と前記ＩＰホン３０の間をスイッチングする複数のリレー及び多数のスイッチを備えたフックスイッチ回路２００を含む。全てのスイッチ回路は外部の制御信号によって前記ホンの動作モードを少なくとも一つのＰＳＴＮモード、ＩＰホンモード及び外部接続モードに選択的に接続する。
【００４７】
　前記連結部はリング信号感知回路２１０とキー接続回路２２０、音声信号連結部２３０を更に含めてなる。前記リング信号感知回路２１０はリング響き回路１３０と前記リング信号伝達機１１０との間の信号経路接続可否をモニタリングしてリング信号を感知する（例えば、前記信号経路は図３に示した回路を用いてモニタリングすることもできる）。キー接続回路２２０は、ユーザーによるボタン入力信号をマイクロプロセッサ３４０が認識できる信号に変換する。前記音声信号連結部２３０はシステムの作動モードによって整列され、ハンドセットとスピーカーホン回路１６０をコデックの第１或いは第２チャンネルを介して連結するための多数のスイッチングを含めてなる。
【００４８】
　前記ＩＰホン３０部は、インターネット網、またはそれ以上のコンピュータと物理的に連結するための多数の連結ポートを有する第２コネクター３００を含めてなる。アップリンクＬＡＮ回路３１０は前記第２コネクター３００を介してインターネット網も接続し、ダウンリンクラン回路３２０は、前記第２コネクター３００を介してコンピュータと接続する。ＬＡＮ接続回路３３０は多重接続を行い、アップリンクＬＡＮ回路３１０とダウンリンクＬＡＮ回路３２０間の信号交換を行う。
【００４９】
　ＩＰホン部３０は、マイクロプロセッサ３４０とデジタル信号プロセッサＤＳＰ３５０を更に含めてなる。前記マイクロプロセッサ３４０はキー接続回路２２０から入力される信号を分析する機能、少なくとも一つのＰＳＴＮモード、ＩＰモード、外部連結モードに対応してホン部の作動モードを確認する機能、確認された動作モードによってフックスイッチ回路２００を制御する機能、音声信号連結部２３０をコデックの第１あるいは第２チャンネルを介して前記コデック３６０にスイッチングする機能を含む多重機能を行う。
【００５０】
　前記デジタル信号プロセッサ３５０は外部連結モードで、前記マイクロプロセッサ３４０の制御信号によってダイアル信号を生成して前記コデック３６０の第２チャンネルを介して前記外部連結モードを要求した外部発信者に提供する。なお、デジタル信号プロセッサ３５０は前記外部発信者からのダイアル信号を変換して前記マイクロプロセッサ３４０に提供する。
【００５１】
　前記コデックはデジタル信号プロセッサから入力されるパルスコード変調データをＩＰモードで音声データに変換し、音声信号連結部２３０から入力される音声データをＰＣＭデータに変化する。また、前記コデック３６０は、音声信号連結部２３０から入力される音声信号を外部連結モードでデジタル信号プロセッサ３５０に提供されるＰＣＭデータに変換する。前記音声信号連結部２３０にはＲＪ４５を用いることができる。前記コデックはＳＰＣＭデータを音声データに変換することだけを説明しているが、当業者であれば本発明のＩＰホンが他の変調方法を用いて音声信号を変換できるということが分かる。
【００５２】
　図２は本発明によるフックスイッチ回路の詳細回路図を示す。
【００５３】
　図２を参照すれば、第１フックスイッチ２０１はＰＳＴＮモードでユーザーがハンドセット２４０を取ったとき、第１連結を設定することを遮断する。ＩＰモードにおいて、前記マイクロプロセッサ３４０は、第１リレー２０１をオフすることでユーザーがＩＰホンを用いるためにハンドセット２４０を取った場合にはＰＳＴＮホンが動作しないように制御する。
【００５４】
　外部連結モードにおいて、前記マイクロプロセッサ３４０は外部でリング信号が入力される場合前記フックスイッチ回路２００の第２リレー２０５をオンにし、前記外部から通話を要請するユーザーが自動的にデュアルモードホンを介して外部にある通話が要求されるユーザーに連結されるようにする。ここで、前記外部にある通話が要請されるユーザーはＩＰアドレスを有している。
【００５５】
　図３は本発明によるリング信号感知回路図を示す図である。
【００５６】
　図３を参照すれば、前記リング信号感知回路２１０は前記リング信号伝達機１１０及び前記リング警報回路１３０からの信号が印加されるダイオード２１１、前記ダイオード２１１に信号が印加されるかどうかを感知し、その結果を前記マイクロプロセッサ３４０に出力するフォトカプラ２１２と、負荷抵抗３４０及び前記フォトカプラ２１２に電源を印加する電源２１３を含めてなる。前記フォトカプラ２１２の信号によって前記マイクロプロセッサ３４０は前記ＰＳＴＮホン１０が外部連結要請のための着信信号を受信したことを認識する。また、前記マイクロプロセッサ３４０は前記着信信号が印加されたことを認識し、前記着信信号がＰＳＴＮモードによる信号であるか、或いは外部連結モードによる信号であるかを判断する。例えば、外部から要請された通話が外部連結モードによるものであれば、前記マイクロプロセッサはデジタル信号プロセッサがダイアル信号を発生するようにする。該発生されたダイアル信号は前記コデック３６０の第２チャンネルを介して前記外部連結モードを要請した外部のユーザーに提供される。
【００５７】
　図４ａ及び図４ｂは、本発明による音声信号連結部を示す。
【００５８】
　図４ａを参照すると、ＰＳＴＮモード及びＩＰモードでユーザーが通話をするためにハンドセットを取った場合、前記マイクロプロセッサ３４０は前記ハンドセット２４０と前記ハンドセットインタフェース回路１６０或いは前記コデック３６０が第１チャンネルを介して連結が連結されるように第１制御信号を前記音声信号連結部２３０に印加する。
【００５９】
　図４ｂを参照すると，ＰＳＴＮモード及びＩＰモードにおいて、ユーザーが通話をするためにスピーカーボタンを押す場合、前記マイクロプロセッサ３４０は前記スピーカー／マイク２５０が前記スピーカーホンインタフェース回路１６０或いはチャンネル１を介して前記コデック３６０に連結されるように第２制御信号を前記音声信号連結部２３０に印加する。前記図４ａ及び図４ｂのスイッチ２３１，２３２は前記第１制御信号または前記第２制御信号によって、該当装置をスイッチングする。
【００６０】
　外部連結モードにおいて、前記マイクロプロセッサは前記ハンドセット回路１６０が前記コデック３６０と第２チャンネルを介して連結するために前記音声信号連結部２３０に第３制御信号を印加する。また、前記送／受話器２４０或いはスピーカー／マイク２５０が第２チャンネルを介して前記コデック３６０に連結されるように、第１制御信号或いは第２制御信号を前記音声信号連結部２３０に印加する。前記第３制御信号によって前記第４ａのスイッチ２３１が相応する装置でスイッチングされた後、前記外部通話信号が前記コデック３６０によってＰＣＭデータに変換される。
【００６１】
　図５ａと図５ｂは図４ａ及び図４ｂに示した各々のスイッチを更に詳しく示したダイアグラムである。
【００６２】
　図５ａを参照すると，ＰＳＴＮモードまたはＩＰでユーザーがハンドセット２４０を取った場合、前記第１スイッチ２３３ａは第１制御信号によって前記ハンドセット２４０が第１チャンネルを介して前記コデック３６０に連結させるか、ハンドセット回路１６０に連結されるようにスイッチングする。外部連結モードで、第２スイッチ２３３ｂは前記マイクロプロセッサ３４０から出力される第３制御信号によってハンドセットインタフェース回路１６０が第２チャンネルを介して前記コデック３６０に連結されるようにスイッチングする。図５ｂを参照すると，ＰＳＴＮモードまたはＩＰモードで、ユーザーがスピーカーホンボタンを押す場合、前記第２制御信号によって制御される前記第１スイッチ２３４はスピーカー／マイク２５０が前記コデック３６０の第１チャンネルを介して前記コデック３６０に連結されるか或いはスピーカー回路１６０に連結されるようにスイッチングする。
【００６３】
　図６は本発明によるキー接続回路の一実施例を示す図である。キー接続回路２２０は感知部２２１と信号分離部２２２を含めてなる。前記感知部２２１はユーザーの入力する数値或いは選択ボタンを感知し、感知した信号を前記ダイアル回路１４０と前記マイクロプロセッサ３４０に提供する。前記信号分離部２２０は前記ダイアル回路１４０と前記マイクロプロセッサ３４０との間の信号を電気的に分離する。また，ＰＳＴＮモードにおいて前記ダイアル回路１４０はユーザーによる入力数値によってＤＴＭＦ信号を発し、前記信号を着信側へ提供する。また、前記マイクロプロセッサ３４０は前記キー接続回路２２０に提供されるデータ信号をモニタリングして前記全てのモードにおいて正確な動作を行う。
【００６４】
　本発明の望ましい一実施例によるホンの作動は次の通りである。本発明によるホンはユーザーが設定することによってＰＳＴＮモード、ＩＰモード、外部連結モードのうち、何れか一つのモードで動作できる。機能ボタンによって前記ＰＳＴＮモードとＩＰモードは相互間にスイッチングされうる。かかる二つのモードにおいて、ホンは他のＰＳＴＮホンまたはＩＰホンからかかってくる通話を着信できる。もし，ＰＳＴＮホンとＩＰホンから同時に通話が要請されると、これをユーザーに知らせ、ユーザーは前記通話を要請するユーザーのうち、何れかの一方と通信を行うために通信する相手を選択する。
【００６５】
　前記ホンがＰＳＴＮモードで設定される場合、前記マイクロプロセッサ３４０は、前記フックスイッチ回路２００の第１リレー２０２をオンにする。前記第１リレー２０２は電源が印加していない時も連結可能である。前記マイクロプＲＰセッサ３４０はユーザーの選択によって前記ハンドセット２４０及びスピーカーホンインタフェース回路１６０が前記ハンドセット２４０またはスピーカー／マイク２５０に連結されるように前記音声信号連結部２３０に第１制御信号或いは第２制御信号２を印加する。前記ハンドセット２４０に対する第１スイッチ２３１を制御し、スピーカー／マイク２５０に対する第２スイッチを第１制御信号或いは第２制御信号によって制御する音声信号連結部２３０は第１制御信号或いは第２制御信号によって作動する。
【００６６】
　外部連結モードにおいて、マイクロプロセッサ３４０は、第３制御信号を前記音声信号連結部２３０に提供する。音声信号連結部２３０は第２チャンネルを介してハンドセットとスピーカーホンインタフェース回路１６０及びコデック３６０に連結される。マイクロプロセッサ３４０はリング信号感知器２１０にリング信号が感知されたことを認識すると、外部リング信号の発信者が通話を要請された外部のユーザーと通話できるように第２リレーを制御する。
【００６７】
　図７は本発明によるホンを用いて多重モードにおいて通信する方法を示す図である。ＰＳＴＮホンが外部からリング信号を受信すると、マイクロプロセッサはホンシステムが外部連結モードで設定されているかを検査する（Ｓ１１）。デュアルＩＰホンが外部連結モードで設定されており、現在、使用中でない場合、マイクロプロセッサは前記デュアルＩＰホンがＰＳＴＮモードで設定されるようにしてＰＳＴＮモードでベルを鳴らす。即ち、前記マイクロプロセッサはホンがＰＳＴＮモードで動作するように制御する。
【００６８】
　なお、前記ホンが外部連結モードで設定されており、使用中ではない場合、前記マイクロプロセッサはフックスイッチ回路２００の第２リレー２０３をオンにする。そうすると、外部から連結を要求するユーザーは自動的にＰＳＴＮホンに連結される（Ｓ１４）。この時ＩＰホン３０は、自動的にＰＳＴＮホン１０に連結される。もし，ＰＳＴＮホンが外部からかかってくる通話要請を受けると、前記マイクロプロセッサはリング信号伝達回路１１０を介して外部連結要請のためのコールがＰＳＴＮホンに受信されたことを認識し、受信したコールによって所定の指定された時間の間リング警報回路１３０を用いてリングを鳴らす。また、前記マイクロプロセッサはデジタル信号プロセッサ３５０がダイアルトンを発生するように制御する（Ｓ１５）。
【００６９】
　発生したダイアルトンはアナログ信号に変換される。また、前記アナログダイアル信号は外部連結を要請する外部のユーザーに提供される。前記外部から通話を要請するユーザーはダイアル信号を聞いたとき、自分が通話を希望する番号及びパスワードを入力し始める（Ｓ１６）。ダイアル信号は音声信号連結部２３０及び第２チャンネルを介して前記音声信号連結部２３０に連結されているコデック３６０を介して前記マイクロプロセッサに入力される。前記デジタル信号プロセッサ３５０は入力された数値を分析し、分析した結果を前記マイクロプロセッサに提供する。
【００７０】
　前記マイクロプロセッサ３４０はパスワードが合うかどうかを確認する（Ｓ１７）。もし、パスワードが違う場合、外部連結を拒絶する（Ｓ１８）。しかしながら、秘密番号が当たっていると、外部ＩＰユーザーのＩＰアドレスを確認する（Ｓ１９）。前記マイクロプロセッサ３４０は前記外部ＩＰユーザーのＩＰアドレスを前記ＬＡＮ回路連結部３３０に提供する。前記ＬＡＮ回路連結部３３０は前記ＩＰアドレスを用いて前記アップリンクＬＡＮ回路３１０に連結されたインターネット網を介した外部ＩＰ加入者との連結を行う（Ｓ２０）。
【００７１】
　上述したように、必要な場合には、ユーザーによって二つのモードの動作が同時に選択され得る。例えば、インターネットモードと外部選択モードが実行されえる。
【００７２】
　かかる状況が発生すると、インターネットホンは第１チャンネルを経てハンドセット或いはスピーカーホンに連結され、また、インターネットホンは第２チャンネルを経て有線電話に連結される。
【００７３】
　前記連結によって前記外部から通話を要請するユーザーからの音声信号は音声信号接続回路１５０及び音声信号連結部２３０を介して前記コデック３６０に入力される。この時前記音声信号は前記コデック３６０の第２チャンネルを介して入力される。
【００７４】
　前記コデック３６０は前記音声信号をＰＣＭデータに変換して前記ＤＳＰプロセッサ３５０に提供する。前記ＤＳＰプロセッサ３５０は前記ＰＣＭデータを前記外部ＩＰ加入者またはコンピュータとのデータを交換できる標準フォーマットに変換する（Ｓ２１）。前記ＤＳＰプロセッサ３５０は前記標準フォーマットに変換する機能を行う一方、ＰＣＭデータ或いは標準フォーマットのデータを圧縮して伝送する。
【００７５】
　前記マイクロプロセッサ３４０は前記標準フォーマットに変換されたデータをＬＡＮ回路連結部３３０及び前記アップリンクＬＡＮ回路３１０を用いて前記外部加入者のＩＰアドレスに伝える。前記マイクロプロセッサは外部加入者のデータ伝送率と前記デュアルホンのデータ伝送率を整合させるために外部加入者のＩＰアドレスに伝送するデータを貯蔵できるように制御する。なお、デュアルホンが外部連結モードに設定されており，ＩＰホンが使用中の場合には以下のように動作する。
【００７６】
　前記マイクロプロセッサ３４０は、リング信号伝達回路１１０によって外部から通話を要請するユーザーが外部から通話を要請される者に通話を行おうとすることを認識する（Ｓ１３）。また、前記マイクロプロセッサは自動で外部加入者及び外部から連結を要請するユーザーから信号を受信するために第２リレーをオンにする。受信した信号の処理はＳ１５−Ｓ２２と同じである。この時デュアルホンユーザーはインターネットを介して外部ＩＰユーザー二人と対話可能である。
【００７７】
　前記外部通話要請者と、外部から通話を要請されるユーザーとの通話が終了すると、前記マイクロプロセッサ３４０は各装置を元に復元させるように制御し、該復元によって通話中であったユーザーは少なくとも一つの電話を待つ間通話を持続することができる。
【００７８】
　本発明の他の実施例において、ＩＰホンで受信した通話は第１チャンネルを介してＰＳＴＮホンに連結される。従って、本実施例では前記実施例における方向と反対方向に通話を伝送する外部連結モードにおいて音声信号通路を設定する。
【００７９】
　従って、本実施例では図１に記載された他の構成要素の間で前記マイクロプロセッサがフックスイッチと音声信号連結部を制御することでインターネットホンから受信したパーキットデータが第１チャンネルを介してＰＳＴＮにパスされる前に前記コデック音声信号で変換されるようにする。
【００８０】
　また、本発明はプロセッサが本発明の機能を行うようにするプログラムを記録したコンピュータで読み取れる記録媒体に関するものである。前記プログラムが記録された記録媒体は本発明のホンに連結されて機能を行え、プロセッサ内に備えたり或いはプロセッサに連結されたコンピュータの内に備えられる。
【００８１】
　本発明は、通信システムに関するもので、特に、少なくとも二つの通信モードにおいて端末機を作動させるための装置及び方法を提供する。
【００８２】
　通信端末機は、有線ホンモード、インターネットホンモード、前記モードが結合されたモードを含む多重モードで作動する。前記端末機は有線ホン部及びＰＳＴＮとインターネットに送信または受信される通話を分離して処理するＩＰホン部を含めてなる。また、前記端末機は、第３モード、即ち外部連結モードの作動において有線ホン部とＩＰホン部を連結する音声経路を介して通話を処理するプロセッサを含めてなる。前記経路に沿って通話を処理することによって実際に長距離及び国際電話費用を低減でき、伝送効率の向上も可能となる。
【００８３】
　本発明の望ましい実施例によるデュアルホンは、ＰＳＴＮ及びインターネットに連結できる。また、前記デュアルホンは外部連結モードで作動したり外部連結を要請するユーザーの要求によって外部連結が要請される者に連結し得る。
【００８４】
　以上本発明の好適な一実施態様について説明したが、前記実施態様に限定されず、本発明の技術思想に基づいて種々の変形が可能である。
【図面の簡単な説明】
【００８５】
【図１】本発明によるデュアルＩＰホンのブロック構成図である。
【図２】本発明によるフックスイッチ回路の詳細回路図を示す図である。
【図３】本発明によるリング信号感知回路図を示す図である。
【図４ａ】本発明による音声信号連結部の回路図を示す図である。
【図４ｂ】本発明による音声信号連結部の回路図を示す図である。
【図５ａ】図４ａの各スイッチの詳細構成を示す図である。
【図５ｂ】図４ｂの各スイッチの詳細構成を示す図である。
【図６】本発明によるキー接続回路の詳細回路図を示す図である。
【図７】本発明によるホンを用いて多重モードにおいて通信する方法を示す図である。
【符号の説明】
【００８６】
　１０　　　　　　ＰＳＴＮホン
　２０　　　　　　連結部
　３０　　　　　　ＩＰホン
　１００、３００　コネクター
　１１０　　　　　リング信号伝達機
　１２０　　　　　ブリッジ回路
　１３０　　　　　リング響き回路
　１４０　　　　　ダイアル回路
　１５０　　　　　音声信号接続回路
　１６０　　　　　ハンドセット及びスピーカーホン回路
【図１】
2004064790.tif 000003
【図２】
2004064790.tif 000004
【図３】
2004064790.tif 000005
【図４ａ】
2004064790.tif 000006
【図４ｂ】
2004064790.tif 000007
【図５ａ】
2004064790.tif 000008
【図５ｂ】
2004064790.tif 000009
【図６】
2004064790.tif 000010
【図７】
2004064790.tif 000011